(57)【要約】緊急警戒機能を有するテレビジョン信号処理システム（２０）は、緊急警戒信号を受信し、緊急イベントを個人個人に知らせるために警戒出力を提供することができる。例示としての一実施形態に従って、テレビジョン信号処理システム（２０）は、緊急イベントを示す緊急警戒信号を含む周波数にチューニングするように動作するチューナ（２２、４２）を含む。処理器（２６、５３）は、緊急警戒信号により表される緊急イベントがユーザにより選択可能な地理的地域に対応するとき、緊急警戒信号に応じて警戒出力を有効にするように動作する。例示としての他の実施形態に従って、処理器（２６、５３）は、緊急警戒信号により表される緊急イベントがユーザにより選択可能な所定のイベントに対応するとき、緊急警戒信号に応じて警戒出力を有効にするように動作する。
2005530380.tif 000002
【特許請求の範囲】
【請求項１】
緊急イベントを表す信号を含む周波数にチューニングするように動作するチューナ：及び
ユーザにより選択可能な地理的地域に対応する緊急イベントに応じて警戒出力を有効にするように動作する処理器；
から構成されることを特徴とするテレビジョン信号処理システム。
【請求項２】
請求項１に記載のテレビジョン信号処理システムであって、警戒出力は補助情報表示から構成される、ことを特徴とするテレビジョン信号処理システム。
【請求項３】
請求項２に記載のテレビジョン信号処理システムであって、補助情報表示はクローズドキャプション表示から構成される、ことを特徴とするテレビジョン信号処理システム。
【請求項４】
請求項１に記載のテレビジョン信号処理システムであって、少なくとも１つのインジケータ素子を含む表示パネルから更に構成され、警戒出力は少なくとも１つのインジケータ素子により与えられるビジュアル表示から構成される、ことを特徴とするテレビジョン信号処理システム。
【請求項５】
請求項４に記載のテレビジョン信号処理システムであって、表示パネルは複数のインジケータ素子から構成され、各々のインジケータ素子は異なる色を表示する、ことを特徴とするテレビジョン信号処理システム。
【請求項６】
請求項１に記載のテレビジョン信号処理システムであって、処理器は、ユーザにより選択可能な第１所定時間の期間の間に警戒出力を有効にする、ことを特徴とするテレビジョン信号処理システム。
【請求項７】
請求項１に記載のテレビジョン信号処理システムであって、警戒出力は複数のビジュアル表示から構成される、ことを特徴とするテレビジョン信号処理システム。
【請求項８】
緊急イベントを表す信号を示す周波数にチューニングするためのチューニング手段；及び
緊急警戒機能を提供するためにユーザにより選択可能な地理的地域に対応する緊急イベントに応じて警戒出力を有効にするための処理手段；
から構成されることを特徴とするテレビジョン信号処理器。
【請求項９】
請求項８に記載のテレビジョン信号処理器であって、警戒出力は補助情報表示から構成される、ことを特徴とするテレビジョン信号処理器。
【請求項１０】
請求項９に記載のテレビジョン信号処理器であって、補助情報表示はクローズドキャプション表示から構成される、ことを特徴とするテレビジョン信号処理器。
【請求項１１】
請求項８に記載のテレビジョン信号処理器であって、少なくとも１つのインジケータ素子を含む表示手段から更に構成され、警戒出力は少なくとも１つのインジケータ素子により与えられるビジュアル表示から構成される、ことを特徴とするテレビジョン信号処理器。
【請求項１２】
請求項１１に記載のテレビジョン信号処理器であって、表示手段は複数のインジケータ素子から構成され、各々のインジケータ素子は異なる色を表示する、ことを特徴とするテレビジョン信号処理器。
【請求項１３】
請求項８に記載のテレビジョン信号処理器であって、処理手段は、ユーザにより選択可能な第１所定時間の期間の間に警戒出力を有効にする、ことを特徴とするテレビジョン信号処理器。
【請求項１４】
請求項８に記載のテレビジョン信号処理器であって、警戒出力は複数のビジュアル表示から構成される、ことを特徴とするテレビジョン信号処理器。
【請求項１５】
テレビジョン信号処理システムを制御するための方法であって：
緊急イベントを表す信号を含む周波数にチューニングする段階：及び
ユーザにより選択可能な地理的地域及び所定のイベントに対応する緊急イベントに応じて警戒出力を提供する段階；
から構成されることを特徴とする方法。
【請求項１６】
請求項１５に記載の方法であって、警戒出力は補助情報表示から構成される、ことを特徴とする方法。
【請求項１７】
請求項１６に記載の方法であって、補助情報表示はクローズドキャプション表示から構成される、ことを特徴とする方法。
【請求項１８】
請求項１５に記載の方法であって、警戒出力は、テレビジョン信号処理システムの表示パネルにおける少なくとも１つのインジケータ素子に提供される、ことを特徴とする方法。
【請求項１９】
請求項１８に記載の方法であって、少なくとも１つのインジケータ素子は緊急イベントを表す色を表示する、ことを特徴とする方法。
【請求項２０】
請求項１５に記載の方法であって、警戒出力は、ユーザにより選択可能な第１所定時間の期間の間に提供される、ことを特徴とする方法。
【請求項２１】
請求項１５に記載の方法であって、警戒出力は複数のビジュアル表示から構成される、ことを特徴とする方法。
【発明の詳細な説明】
【技術分野】
【０００１】
本発明は、一般に、テレビジョン信号処理に関し、より具体的には、特に、緊急イベントを表す信号を受信し、緊急イベントを個人個人に知らせるために１つ又はそれ以上のビジュアル表示を含む警戒出力を提供することができるテレビジョン信号処理システムに関する。
【背景技術】
【０００２】
厳しい天候、自然災害、火事、市民の緊急事態、戦争行為、有害化学物質流出、放射線リーク等のような緊急イベントの状態は、準備をしていない個人個人に対して大打撃を与えることとなる。天候関連の緊急事態の場合、ＮＷＳ（Ｎａｔｉｏｎａｌ  Ｗｅａｔｈｅｒ  Ｓｅｒｖｉｃｅ）及びＮＯＡＡ（Ｎａｔｉｏｎａｌ  Ｏｃｅａｎｏｇｒａｐｈｉｃ  ａｎｄ  Ａｔｍｏｓｐｈｅｒｉｃ  Ａｄｍｉｎｉｓｔｒａｔｉｏｎ）のような専門家は、一般に、一般の人々に対して、予め厳しい気象状態を検知することができる。ドップラレーダ及び気象衛星のような現在の気象検知装置を使用することにより、ＮＷＳ及びＮＯＡＡは、多くの人命を守る、厳しい気象状態についての迅速な警告を発することができる。しかしながら、そのような警告を有効にするために、彼らは意図する受信者と通信する必要がある。
【０００３】
特定の専門無線及びスキャナが、ＮＷＳ及びＮＯＶＶにより提供される緊急警戒信号を受信することができる。しかしながら、そのような装置は、このような用途に対して専用である傾向にあり、もしあるとしても、一般に、このような信号をモニタする以上の機能性を消費者に提供することはない。従って、気象関連緊急事態についての事前警告を受信するためには、消費者は、別途、専用装置を購入する必要があり、そのような装置は、一部の消費者にとってコストが非常に掛かることとなる。
【０００４】
従って、予め問題を回避する緊急警告信号を受信することができる装置に対する要請が存在する。本発明はこれらの及び他の問題に対処する。
【発明の開示】
【課題を解決するための手段】
【０００５】
本発明の特徴に従って、緊急警戒機能を有するテレビジョン信号処理システムを開示する。例示としての実施形態に従って、テレビジョン信号処理システムは、緊急イベントを表す信号を示す周波数にチューニングするためのチューニング手段から構成される。緊急警戒信号により表される緊急イベントがユーザにより選択可能な地理的地域に対応するとき、処理手段は、緊急警戒信号に応じて警戒出力を有効にする。他の例示としての実施形態に従って、緊急警戒信号により表される緊急イベントがユーザにより選択可能な所定のイベントに対応するとき、処理手段は、緊急警戒信号に応じて警戒出力を有効にする。
【０００６】
本発明の他の特徴に従って、緊急警戒機能を提供するテレビジョン信号処理器を制御するための方法について開示する。例示としての実施形態に従って、その方法は、緊急イベントを表す信号を含む周波数をチューニングする段階と、緊急警戒信号により表される緊急イベントがユーザにより選択可能な所定のイベントに対応するとき、緊急警戒信号に応じて警戒出力を提供する段階と、から構成される。
【発明を実施するための最良の形態】
【０００７】
ここで、図であって、特に図１を参照するに、本発明を実行するために適切な例示としての環境１００を示している。図１において、環境１００は、信号送信ソース１０と住戸１５（即ち、１、２、３、．．．、Ｎ、ここで、Ｎはいずれの正の整数）から構成される。図１における住戸１５は、例えば、住宅、ビジネス事務所及び／又は特定の地理的領域であって、例えば、特定の大陸、国、地域、州、地域番号、郵便番号、郡、自治体、分譲地、及び／又は他の地理的に定義可能な地域内に位置する住戸を表すが、これらに限定されるものではない。例示としての実施形態に従って、各々の住戸１５は、例えば、緊急イベントであって、例えば、緊急警戒信号を表す信号を受信し、緊急イベントを個人個人に知らせるために警戒出力を提供することができる、少なくとも１つのテレビジョン信号処理システム又はテレビジョン信号処理器２０を備えている。
【０００８】
テレビジョン信号処置システムは、表示装置（セットトップボックス又はＶＣＲのような）を含まないが、表示装置に結合するために適切な信号を生成するテレビジョン受信器又は表示装置（テレビジョンセットのような）を含むテレビジョン信号受信器のような信号処理器又は種々のタイプのシステムから構成されることが可能である。下の詳細な説明の目的のために、本発明の原理を組み込んだシステムの例示としての実施形態については、表示装置を含むテレビジョン受信器の関連で説明することとする。しかしながら、説明する本発明の特徴は又、表示装置を含まないような他のタイプのテレビジョン信号処理システムに提供することが可能である。
【０００９】
例示としての実施形態に従って、信号送信ソース１０は、例えば、緊急警戒信号等の緊急イベントを表す信号を含む信号を送信し、そのような信号は各々のテレビジョン信号受信器２０により受信されることが可能である。緊急警戒信号は、ＮＷＳのような専門家、又は政府関係団体等のような他の専門家から提供されることが可能である。緊急警戒信号に応答して、各々のテレビジョン信号受信器２０は、緊急イベントを個人個人に知らせるために１つ又はそれ以上の警戒出力を提供することにより緊急警戒機能を実行することが可能である。信号送信ソース１０は、例えば、いずれの有線又は無線媒体であって、例えば、地上波、ケーブル、衛星放送、光ファイバ、ＤＳＬ（Ｄｉｇｉｔａｌ  Ｓｕｂｓｃｒｉｂｅｒ  Ｌｉｎｅ）及び／又は他のタイプの放送及び／又はマルチキャスト手段により、信号受信装置２０にそのような緊急警戒信号を送信することが可能であるが、それらに限定されるものではない。
【００１０】
図２を参照するに、図１のテレビジョン信号受信器２０の例示としての実施形態を示している。図２において、テレビジョン信号受信器２０は、信号受信素子２１、チューナ２２、音声処理器２３、スピーカ２４、復号化器２５、処理器及びメモリ２６、前面パネル表示装置（ＦＰＤ）２７、映像処理器２８、表示装置２９、信号受信素子３１、チューナ３２、１つ又はそれ以上の中間周波数（ＩＦ）フィルタ３３、ＩＦ処理器３４、帯域通過フィルタ（ＢＰＦ）３５、音声処理器３６及びスピーカ３７から構成される。上記の要素の一部は、例えば、集積回路（ＩＣ）を用いて具現化されることが可能である。説明の明確化のために、テレビジョン信号受信器２０の特定の従来の要素については、図２に示していない。
【００１１】
信号受信素子２１は、図１における信号送信ソース１０のような信号ソースから音声信号を含む信号を受信するように動作する。例示としての実施形態に従って、受信音声信号は、デジタル的に符合化された緊急警戒信号を含むことが可能である。信号受信素子２１は、アンテナ、入力端子等のようないずれの信号受信素子として具現化されることが可能である。
【００１２】
チューナ２２は、デジタル的に符合化された緊急警戒信号を付加的に含むことが可能であるイング受信素子２１から供給される音声信号を含む信号をチューニングするように動作する。例示としての実施形態に従って、チューナ２２は、少なくとも次のようにデザインされたＮＷＳ周波数、即ち、１６２．４００ＭＨｚ、１６２．４２５ＭＨｚ、１６２．４５０ＭＨｚ、１６２．４７５ＭＨｚ、１６２．５００ＭＨｚ、１６２．５２５ＭＨｚ、１６２．５５０ＭＨｚに音声信号をチューニングすることができる。又、他の周波数にチューニングすることが可能である。上記のようにん、そのような音声信号はデジタル的に符合化された緊急警戒信号を付加的に含むことが可能である。
【００１３】
音声処理器２３は、チューナ２２から供給される音声信号を処理するように動作する。例示としての実施形態に従って、音声処理器２３はそのような音声信号を復調し、それにより、ＮＷＳ音声メッセージ、警告警戒トーン及び／又は他の音声コンテンツのような音声コンテンツを表す復調音声信号を生成する。音声処理器２４は、復調音声信号を増幅するように更に動作する。スピーカ２４は、音声増幅器２３から供給された増幅音声信号を音響的に出力する。
【００１４】
復号化器２５は、音声処理器２３から供給される復調音声信号を含む信号を復号化するように動作する。例示としての実施形態に従って、復号化器２６はそのような音声信号を復号化し、それにより、デジタル的に符合化された周波数シフトキー（ＦＳＫ）信号を抽出する。その周波数シフトキー（ＦＳＫ）信号は緊急イベントを表す緊急警戒信号を表す。例示としての実施形態に従って、緊急警戒信号は、緊急イベントに関連する特定領域メッセージ符合化（ＳＡＭＥ）データから構成されるデータを含む。ＳＡＭＥデータは、例えば、緊急イベントにより影響を受ける特定の地理的領域と、地理的イベント（例えば、竜巻、有害化学物質流出、放射線リーク、市民警戒事態等）と、イベント警戒の終了時間のような情報を表すデジタル符合から構成される。ＳＡＭＥデータは、間違った警戒の頻度を減少させ、緊急警戒の特定性を改善するためにＮＷＳ及び他の専門家により用いられる。他のデータ及び情報は又、本発明に従った緊急警戒信号に含まれることが可能である。
【００１５】
処理器及びメモリ２６は、テレビジョン信号受信器２０の種々の処理及びデータ記憶機能を実行するように動作する。例示としての実施形態に従って、処理器２７は、復号化器２６からの緊急警戒信号を受信し、テレビジョン信号受信器２０の緊急警戒機能が緊急警戒信号に含まれるデータに基づいてアクティブにされているかどうかを判定する。この例示としての実施形態に従って、処理器２６は、緊急警戒機能がアクティブであるかどうかを判定するために、メモリ２６に記憶されたデータと緊急警戒信号におけるデータを比較する。後に説明するように、テレビジョン信号受信器２０の緊急警戒機能に対するセットアッププロセスは、ユーザが、緊急警戒機能をアクティブにする緊急イベント（例えば、竜巻、有害化学物質流出、放射線リーク、市民警戒事態等）のタイプと、適用可能な地理的領域のようなアイテムとを選択することを可能にする。例示としての実施形態に従って、緊急警戒機能がアクティブにされているとき、処理器２６は、テレビジョン信号受信器２０が、１つ又はそれ以上の警戒出力を提供するように、それにより、緊急イベントについて個人個人に知らせるようにする、１つ又はそれ以上の制御信号を出力する。そのような機能に関する更なる詳細については、下で提供することとする。
【００１６】
ＦＰＤ２７は、テレビジョン信号受信器２０の緊急警戒機能の動作状態のような情報と、緊急イベントに関する情報を含むビジュアル表示を提供するように動作する。例示としての実施形態に従って、ＦＰＤ２７は、１つ又はそれ以上のインジケータ素子を含む視認性表示パネルである。そのようなインジケータ素子は、例えば、発光ダイオード（ＬＥＤ）又は液晶表示（ＬＣＤ）ランプ等のいずれかのビジュアルインジケータを含む。そのようなＬＥＤ又はＬＣＤは、例えば、ＬＣＤ映像又は照光式（ｌｉｇｈｔｅｄ）ＬＣＤ表示パネルのような、大きいＬＥＤ又はＬＣＤ視野内に含まれることが可能である。更に、ＦＰＤ２７のインジケータ素子は、単色及び／又はカラー液晶表示（ＬＱＤ）インジケータ、プラズマ表示インジケータ及び／又は消費者用電化製品のインジケータとして使用される従来の光源のようなハイライト（ｈｉｇｈｌｉｇｈｔｅｄ）表示装置を含む。
【００１７】
ＦＰＤ２７のインジケータ素子は、例えば、テレビジョン信号受信器２０から離れた壁表示及び／又はデスク表示のためにデザインされた可搬型（例えば、非テサー（ｎｏｎ−ｔｅｔｈｅｒｅｄ））照光式パネルに対してのように、テレビジョン信号受信器２０の前面パネルの外部に設けることが可能である。このことは、例えば、聴力障害のユーザがテレビジョン信号受信器２０から離れた緊急イベントの集合に対するインジケータを見ることを可能にする。このことは又、種々のＬＥＤ表示装置、ＬＣＤ表示装置、ＬＱＤ表示装置、プラズマ表示装置及び／又はブラウン管（ＣＲＴ）表示装置が、全ビジュアルデータ視野又は部分ビジュアルデータ視野として緊急警戒機能に対するインジケータ素子を組み込むことを可能にするようにする。例えば、インジケータ素子は、ＤＶＤ（Ｄｉｇｉｔａｌ  Ｖｅｒｓａｔｉｌｅ  Ｄｉｓｋ）等からのコンテンツのような記録された映像コンテンツを再現するＬＣＤパネルに表示されるビジュアルデータの一部としてハイライトされることが可能である。
【００１８】
映像処理器２８は、映像信号を含む信号を処理するように動作する。例示としての実施形態に従って、映像処理器２８は、緊急イベントに関する詳細を提供するＮＷＳテキストメッセージ及び／又は他のメッセージのような埋め込みメッセージを含むことが可能である。例示としての実施形態に従って、映像処理器２８は、クローズドキャプション表示、
テレテキスト表示等のような補助情報を有効にする回路構成を含む。表示装置２９は、映像処理器２８から供給される処理された信号に対応するビジュアル表示を提供するように動作する。例示としての実施形態に従って、表示装置２９は、緊急イベントに関する詳細を提供する上記のメッセージを含むビジュアル表示を提供することが可能である。
【００１９】
信号受信素子３１は、図１における信号送信ソースのような信号ソースから音声及び／又は映像信号を含む信号を受信するように動作する。信号受信素子３１は、アンテナ、入力端子又は他の素子のようないずれの信号受信素子として具現化されることが可能である。
【００２０】
チューナ３２は、信号受信素子３１から供給される音声及び映像信号を含む信号をチューニングするように、それにより、ＩＦ信号を生成するように動作する。例示としての実施形態に従って、チューナ３２は、図２に示すように、ＩＦ処理器３４から自動利得制御（ＡＧＣ）信号を受信することが可能である。１つ又はそれ以上のＩＦフィルタ３３は、チューナ３２から供給されるＩＦ信号をフィルタリングするように動作する。例示としての実施形態に従って、ＩＦフィルタ３３は、分割配列を有する表面弾性は（ＳＡＷ）フィルタとして具現化されることが可能である一方、１つのＩＦフィルタ３３は音声信号をフィルタリングし、他のＩＦフィルタは映像信号をフィルタリングする。
【００２１】
ＩＦ処理器３４は、ＩＦフィルタ３３から供給されるフィルタリングされたＩＦ信号を処理するように動作する。ＩＦ処理器３４はフィルタリングされたＩＦ信号を復調し、
分割された音声ＩＦ信号入力及び映像ＩＦ信号入力を割り当てることが可能である。ＢＰＦ３５は、音声ＩＦ信号をフィルタリングするように動作する。例示としての実施形態に従って、ＢＰＦ３５は、４．５ＭＨｚパスバンドを供給し、テレビジョン及びＦＭ（周波数変調）ラジオの両方に対して音声を最適化するためのフィルタを含む。
【００２２】
音声処理器３６は、ＩＦ処理器３４から供給される音声信号を処理するように動作する。例示としての実施形態に従って、音声処理器３６は、そのような音声信号を復調し、それにより、復調された音声信号を生成する。音声処理器３６は、復調された音声信号を増幅するように更に動作する。スピーカ３７は、音声処理器３６から供給される増幅された音声信号を音響的に出力するように動作する。
【００２３】
図３を参照するに、本発明の例示としての実施形態に従って、テレビジョン信号受信器のブロック図を示している。図３において、テレビジョン信号受信器２０は、信号受信素子４１、チューナ４２、音声ＩＦフィルタ４３、映像ＩＦフィルタ４４、ＦＭモードスイッチ４５、ＡＧＣクランプ４６、ＡＧＣスイッチ４７、ＩＦ処理器４８、ＢＰＦ４９、音声処理器５０、スピーカ５１、復号化器５２、処理器及びメモリ５３、ＦＰＤ５４，映像処理器５５及び表示装置５６から構成される。上記の素子の幾つかを、集積回路（ＩＣ）を用いて具現化することが可能である。説明の明確化のために、テレビジョン信号受信器２０の特定の従来の素子については、図３に示していない。
【００２４】
信号受信素子４１は、図１における信号送信ソース１０のような信号ソースからの音声信号及び／又は映像信号を含む信号を受診するように動作する。例示としての実施形態に従って、受信された音声信号はデジタル的に復号化された緊急警戒信号を含むことが可能である。信号受信素子４１は、例えば、アンテナ、入力端子等のようないずれの信号受信素子として具現化されることが可能である。
【００２５】
チューナ４２は、信号受信素子４１から供給される音声及び／映像信号を含む信号をチューニングするように動作する。例示としての実施形態に従って、チューナ４２は、次の指定されたＮＷＳ周波数であって、即ち、１６２．４００ＭＨｚ、１６２．４２５ＭＨｚ、１６２．４５０ＭＨｚ、１６２．４７５ＭＨｚ、１６２．５００ＭＨｚ、１６２．５２５ＭＨｚ、１６２．５５０ＭＨｚに、音声信号をチューニングすることができる。又、他の周波数にチューニングすることが可能である。上記のように、そのような音声信号はデジタル的に符合化された緊急警戒信号を含むことが可能である。チューナ４２は、図３に示すように、ＩＦ処理器４８から自動利得制御（ＡＧＣ）信号を受信することが可能である。音声ＩＦフィルタ４３及び映像ＩＦフィルタ４４は、チューナ４２から供給される音声ＩＦ信号及び映像ＩＦ信号それぞれをフィルタリングするように動作する。例示としての実施形態に従って、音声ＩＦフィルタ４３及び映像ＩＦフィルタ４４は、表面弾性波（ＳＡＷ）フィルタとして具現化されることが可能である。
【００２６】
ＦＭモードスイッチ４５、ＡＧＣクランプ４６及びＡＧＣスイッチ４７は、ＩＦ処理器（例えば、ＦＭ音声信号及びＮＷＳ音声信号に対する）により適切な音声復調を容易にするように動作する。このために、ＦＭモードスイッチ４５は、ＩＦ処理器４８からの映像パスの接続を絶つように動作し、ＡＧＣクランプ４６は一定レベルにおいてチューナ４２に対してＡＧＣを維持するように動作し、そしてＡＧＣスイッチ４７はＩＦ処理器４８に対してＡＧＣを無効にするように動作する。例示としての実施形態に従って、ＦＭモードスイッチ４５、ＡＧＣクランプ４６及びＡＧＣスイッチ４７は各々、処理器（図示せず）から供給される制御信号により制御される。
【００２７】
ＩＦ処理器４８は、音声ＩＦフィルタ４３及び映像ＩＦフィルタ４４から供給されるフィルタリングされたＩＦ信号を処理するように動作する。例示としての実施形態に従って、音声処理器３６はそのような音声信号を復調し、それにより、復調された音声信号を生成する。音声処理器５０は、復調された音声信号を増幅するように更に動作する。スピーカ５１は、音声処理器５０から供給される増幅された音声信号を音響的に出力するように動作する。
【００２８】
復号化器５２は、ＩＦ処理器４８から供給される復調された音声信号を含む信号を復号化するように動作する。例示としての実施形態に従って、復号化器５２は、そのような音声信号を復号化し、それにより、デジタル的に符合化されたＦＳＫ信号を抽出する。そのデジタル的に符合化されたＦＳＫ信号は、緊急イベントを表す緊急警戒信号を表す。例示としての実施形態に従って、緊急警戒信号は緊急イベントに関連するＳＡＭＥデータから構成されるデータを含む。上記のように、ＳＡＭＥデータは、例えば、緊急イベントにより影響を受ける特定の地理的領域と、地理的イベント（例えば、竜巻、有害化学物質流出、放射線リーク、市民警戒事態等）と、イベント警戒の終了時間のような情報を表すデジタル符合から構成される。他のデータ及び情報は又、本発明に従った緊急警戒信号に含まれることが可能である。
【００２９】
処理器及びメモリ５３は、テレビジョン信号受信器２０の種々の処理及びデータ記憶機能を実行するように動作する。例示としての実施形態に従って、処理器２７は、復号化器５３からの緊急警戒信号を受信し、テレビジョン信号受信器２０の緊急警戒機能が緊急警戒信号に含まれるデータに基づいてアクティブにされているかどうかを判定する。この例示としての実施形態に従って、処理器５３は、緊急警戒機能がアクティブであるかどうかを判定するために、メモリ５３に記憶されたデータと緊急警戒信号におけるデータを比較する。後に説明するように、テレビジョン信号受信器２０の緊急警戒機能に対するセットアッププロセスは、ユーザが、緊急警戒機能をアクティブにする緊急イベント（例えば、竜巻、有害化学物質流出、放射線リーク、市民警戒事態等）のタイプと、適用可能な地理的領域のようなアイテムとを選択することを可能にする。例示としての実施形態に従って、緊急警戒機能がアクティブにされているとき、処理器５３は、テレビジョン信号受信器２０が、１つ又はそれ以上の警戒出力を提供するように、それにより、緊急イベントについて個人個人に知らせるようにする、１つ又はそれ以上の制御信号を出力する。そのような機能に関する更なる詳細については、下で提供することとする。
【００３０】
ＦＰＤ５４は、テレビジョン信号受信器２０の緊急警戒機能の動作状態のような情報と、緊急イベントに関する情報を含むビジュアル表示を提供するように動作する。例示としての実施形態に従って、ＦＰＤ５４は、１つ又はそれ以上のインジケータ素子を含むビジュアル化表示パネルである。そのようなインジケータ素子は、例えば、ＬＥＤ又はＬＣＤランプ等のいずれかのビジュアルインジケータを含む。そのようなＬＥＤ又はＬＣＤは、例えば、ＬＣＤ映像又は照光式（ｌｉｇｈｔｅｄ）ＬＣＤ表示パネルのような、大きいＬＥＤ又はＬＣＤ視野内に含まれることが可能である。更に、ＦＰＤ５４のインジケータ素子は、単色及び／又はカラー液晶表示（ＬＱＤ）インジケータ、プラズマ表示インジケータ及び／又は消費者用電化製品のインジケータとして使用される従来の光源のようなハイライトされた（ｈｉｇｈｌｉｇｈｔｅｄ）インジケータを含む。
【００３１】
ＦＰＤ５４のインジケータ素子は、例えば、テレビジョン信号受信器２０から離れた壁表示及び／又はデスク表示のためにデザインされた可搬型（例えば、非テサー（ｎｏｎ−ｔｅｔｈｅｒｅｄ））照光式パネルに対してのように、テレビジョン信号受信器２０の前面パネルの外部に設けることが可能である。このことは、例えば、聴力障害のユーザがテレビジョン信号受信器２０から離れた緊急イベントの集合に対するインジケータを見ることを可能にする。このことは又、種々のＬＥＤ表示装置、ＬＣＤ表示装置、ＬＱＤ表示装置、プラズマ表示装置及び／又はＣＲＴ表示装置が、全ビジュアルデータ視野又は部分ビジュアルデータ視野として緊急警戒機能に対するインジケータ素子を組み込むことを可能にするようにする。例えば、インジケータ素子は、ＤＶＤ（Ｄｉｇｉｔａｌ  Ｖｅｒｓａｔｉｌｅ  Ｄｉｓｋ）等からのコンテンツのような記録された映像コンテンツを再現するＬＣＤパネルに表示されるビジュアルデータの一部としてハイライトされることが可能である。
【００３２】
映像処理器５５は、映像信号を含む信号を処理するように動作する。例示としての実施形態に従って、映像処理器５５は、緊急イベントに関する詳細を提供するＮＷＳテキストメッセージ及び／又は他のメッセージのような埋め込みメッセージを含むことが可能である。例示としての実施形態に従って、映像処理器５５は、クローズドキャプション表示、
テレテキスト表示等のような補助情報を有効にする回路構成を含む。表示装置５６は、映像処理器５５から供給される処理された信号に対応するビジュアル表示を提供するように動作する。例示としての実施形態に従って、表示装置５６は、緊急イベントに関する詳細を提供する上記のメッセージを含むビジュアル表示を提供することが可能である。
【００３３】
図４を参照するに、本発明に従った例示としてオン段階を示すフロー図４００を示している。図４の各段階は、図２及び図３に示すテレビジョン信号受信器２０のどちらかの実施形態を用いて実行されることが可能である。しかしながら、例示と説明を目的として、図４の各段階は、図２のテレビジョン信号受信器２０を参照して説明することとする。図４の各段階は単に例示であって、いずれかの方法で本発明を制限することを意図されたものではない。
【００３４】
段階４０１において、テレビジョン信号受信器２０の緊急警戒機能のためのセットアッププロセスが実行される。例示としての実施形態に従って、ユーザは、表示装置２９により表示されたオンスクリーンメニューに応答して、テレビジョン信号受信器２０（例えば、リモートコントロール装置（図示せず）を用いて）に入力することによりこのセットアッププロセスを実行する。そのようなオンスリーンメニューは、例えば、テレビジョン信号受信器２０の電子プログラムガイド（ＥＰＧ）機能の一部とすることが可能である。例示としての実施形態に従って、ユーザは、段階４０１におけるセットアッププロセスの間に、少なくとも次のようなアイテムを選択することが可能である。
【００３５】
Ａ．有効／無効  −  ユーザは、緊急警戒機能を有効にするか無効にするかを選択することが可能である。
【００３６】
Ｂ．周波数選択  −  ユーザは、緊急警戒信号を受信するようにチューニングするモニタリング周波数を選択することが可能である。例えば、ユーザは、次のＮＷＳ周波数、即ち、１６２．４００ＭＨｚ、１６２．４２５ＭＨｚ、１６２．４５０ＭＨｚ、１６２．４７５ＭＨｚ、１６２．５００ＭＨｚ、１６２．５２５ＭＨｚ、１６２．５５０ＭＨｚの１つのような周波数を選択することが可能である。
【００３７】
Ｃ．イベントタイプ  −  ユーザは、緊急警戒機能をアクティブにする１つ又はそれ以上のタイプの緊急イベントを選択することが可能である。例えば、ユーザは、市民緊急事態、戦争行為及び／又は竜巻警告のようなイベントは緊急警戒機能をアクティブにするが、雷警告のようなイベントがアクティブにしない、等のように指定することが可能である。ユーザは又、ＮＷＳ及び／又は他の警戒機構により提供される従来の警告音声トーンが緊急警戒機能をアクティブにするかどうかを選択することが可能である。本発明に従って、種々の重大度レベルが種々の“イベント”を表すことが可能である。例えば、雷観測は雷警告とは異なるイベントとみなされる。
【００３８】
Ｄ．地理的地域  −  ユーザは、１つ又はそれ以上の地理的対象地域を選択することが可能である。例えば、ユーザは、特定の大陸、国、地域、州、地域番号、郵便番号、郡、自治体、分譲地、及び／又は他の地理的に定義可能な地域を選択することが可能である。
【００３９】
Ｅ．警戒出力  −  ユーザは、緊急警戒機能がアクティブであるときに提供されるべき１つ又はそれ以上の警戒出力を選択することが可能である。例えば、ユーザは、音声出力する選択することが可能である。ユーザは又、ＮＷＳテキストメッセージ（例えば、クローズドキャプションメッセージ）を表示すること及び／又は特定のチャネルにテレビジョン信号受信器２０をチューニングすることを選択することが可能である。
【００４０】
Ｆ．警戒出力の持続期間  −  ユーザは、緊急警戒機能がアクティブのときに、１つ又はそれ以上の警戒出力が提供される所定時間の持続期間を選択することが可能である。このような所定時間の持続期間が終了した後、１つ又はそれ以上の警戒出力は停止し（少なくとも、一時的に）、テレビジョン信号受信器２０は１つの動作モードであって、例えばオンモードから、他の動作モードであって、例えば、オフ／スタンバイモードに切り替わる。
【００４１】
Ｇ．反復イベント間の持続期間  −  ユーザは、反復イベントの所定時間の持続期間を選択することが可能である。例えば、テレビジョン信号受信器２０が特定の警戒イベントに対する警戒出力を提供し、オフ／スタンバイモード（上記の項目Ｆで述べた）に切り換えるとき、緊急警戒機能は又、反復イベントに対する所定時間の持続期間が経過した後まで、この同様な警戒イベントに対してアクティブにされない。この中で上記したように、種々の重大度レベルは種々のイベントを表すことが可能である。
【００４２】
本発明に従って、他のメニュー選択が又、段階４０１において提供されることが可能であり、及び／又は、上記のメニュー選択の一部は省略されることが可能である。段階４０１のセットアッププロセスの間のユーザ選択に対応するデータはメモリ２６に記憶される。
【００４３】
段階４０２において、テレビジョン信号受信器２０は、緊急警戒信号のための段階４０１（即ち、項目Ｂ）のセットアッププロセスの間にユーザにより選択される周波数をモニタする。零時としての実施形態に従って、チューナ２２は選択された周波数をモニタし、それにより、入力緊急警戒信号を受信する。例示としての実施形態に従って、テレビジョン信号受信器２０は、例えば、テレビジョン信号受信器２０がオン状態にある、オフ状態にある並びに／若しくは記録された音声コンテンツ及び映像コンテンツの再生の間にあるときを含む、全ての動作モードの間に、周波数をモニタし、緊急警戒信号を受信することができる。
【００４４】
段階４０３において、テレビジョン信号受信器２０の緊急警戒機能がアクティブであるかどかに関して判定がなされる。例示としての実施形態に従って、段階４０１のセットアッププロセスからメモリ２７に記憶されたデータと入力緊急警戒信号に含まれるデータを比較することによりこの判定を行う。上記のように、緊急警戒信号は、緊急イベントにより影響を受ける特定の地理的地域と、緊急イベントのタイプ（例えば、竜巻、有害化学物質流出、放射線リーク、市民警戒事態等）とを含む情報を表すＳＡＭＥデータを含むことが可能である。例示としての実施形態に従って、処理器２７は、このＳＡＭＥデータを、メモリ２７に記憶された段階４０１（即ち、項目Ｃ及びＤ）のセットアッププロセルからの対応するデータと比較し、これにより、緊急警戒機能が達成されたかどうかを判定する。このように、テレビジョン信号受信器２０の緊急警戒機能は、緊急警戒信号により表される緊急警戒イベントが段階４０１においてユーザにより指定されたイベントタイプ及び地理的地域に対応するときにのみ、アクティブになる。
【００４５】
段階４０３における判定が否定的な場合、プロセスフローは、チューナ２２が選択周波数をモニタすることを継続する段階４０２に戻る。代替として、段階４０３における判定が肯定的である場合、プロセスフローは、テレビジョン信号受信器２０が１つ又はそれ以上の警戒出力を提供し、それにより、緊急イベントを個人個人に知らせる段階４０４に進む。例示としての実施形態に従って、処理器２６は、段階４０１（即ち、項目Ｅ）のセットアッププロセスの間のユーザ選択に従った１つ又はそれ以上の出力を有効にし、そのような警戒出力は、事実上、音響及び／又は映像であることが可能である。例えば、警告トーン及び／又はＮＷＳ音声メッセージのような音響出力を、スピーカ２４及び／又はスピーカ３７により段階４０４において提供することが可能であり、そのような音響出力の音量を、段階４０１のセットアッププロセスの間にユーザにより設定される音量レベルに従って制御することが可能である。
【００４６】
又、ビジュアル出力を、緊急イベントについて個人個人に知らせるために、ＦＰＤ２７及び／又は表示装置２９により段階４０４において提供することが可能である。例示としての実施形態に従って、ＮＷＳテキストメッセージ（例えば、クローズドキャプション表示のような）及び／又は特定チャネルからの映像出力のような補助情報表示を、表示装置２９により段階４０４において提供することが可能である。又、段階４０４において、ＦＰＤ２７によるビジュアル表示を提供することが可能である。図５は、本発明に従ったビジュサル警戒出力を提供するための例示としての技術を示す図５００である。図５に示すように、補助情報表示５０１は、緊急イベントに関する詳細を提供するテキストメッセージから構成される。補助情報表示５０１は単なる例であり、他のメッセージ（例えば、スクローリングメッセージ）及び／又は表示要素（例えば、アイコン等）を本発明に従って提供することが可能である。図５に示すように、ＦＰＤ２７の一部を構成する緊急イベントインジケータ６００が存在する。例示としての実施形態に従って、緊急イベントインジケータ６００は、上記のＦＰＤ２７の１つ又はそれ以上のインジケータ素子を含む。
【００４７】
図６を参照するに、図５の緊急イベントインジケータ６００の更なる例示としての詳細を示している。図６に示すように、例示としてのイベントインジケータ６００は、テレビジョン信号受信器２０の緊急警戒機能の動作状態のような情報と緊急イベントに関する情報とを示すビジュアル表示を提供することができるインジケータ素子６０１乃至６０４から構成される。上記のように、そのようなインジケータ素子６０１乃至６０４は、ＬＥＤ、ＬＣＤ及び／又はＬＱＤ素子等のようないずれかの種類のビジュアルインジケータとして具現化されることが可能である。例示目的で、緊急イベントインジケータ６００は、４つのインジケータ素子を有するように図６に示している。しかしながら、本発明に従っていずれの数のそのようなインジケータ素子を備えることが可能である。
【００４８】
図６の例示としての実施形態に従って、テレビジョン信号受信器２０の緊急警戒機能が使用でき、緊急警戒信号が受信されるとき、インジケータ素子６０１は緑色に表示し、光らせることが可能である。インジケータ素子６０２乃至６０４は又、緊急イベントに関するビジュアル情報を提供するために種々の色に表示し、光らせることが可能である。例えば、インジケータ素子６０２は、注意レベルの警戒を示すように、黄色に表示し、光らせることが可能である。同様に、インジケータ素子６０３は、観測レベルの警戒を示すためにオレンジ色に表示し、光らせることが可能であり、インジケータ素子６０４は、警告レベルの警戒を示すために赤色に表示し、光らせることが可能である。上記のように、これらの異なる警戒レベルは、本発明に従って、異なる緊急イベントを表すことが可能である。上記以外の色及び／又は図６に示したものと異なるイベントラベルを又、本発明に従って、提供することが可能である。従って、図６に示す緊急イベントインジケータ６００は単なる例であって、他の種類のインジケータ及び／又は表示を、本発明に従って、提供することが可能である。上で明確に説明したもの以外の他の種類の音響警戒出力及び／又は映像警戒出力を又、本発明に従って、段階４０４において提供することが可能である。
【００４９】
段階４０５において、警戒出力が所定の期間の間に提供されたかどうかに関する判定がなれる。上記のように、ユーザは、段階４０１においてセットアッププロセスの間にこの期間を指定することが可能である（即ち、項目Ｆ）。段階４０５における判定が否定的である場合、プロセスフローは、テレビジョン信号受信器２０が警戒出力を提供することを継続する段階４０４に戻る。代替として、段階４０５における判定が肯定的である場合、プロセスフローは、テレビジョン信号受信器２０が１つ又はそれ以上の警戒出力を無効にする段階４０６に進む。例示としての実施形態に従って、処理器２６は、１つ又はそれ以上の警戒出力を無効にする１つ又はそれ以上の制御信号を出力する。このように、テレビジョン信号受信器２０は、段階４０１においてセットアッププロセスの間にユーザにより指定された時間の所定の期間の間にのみ１つ又はそれ以上の警戒出力を提供する。
【００５０】
１つ又はそれ以上の警戒出力が段階４０６において無効になった後、処理フローは、テレビジョン信号受信器２０が選択された周波数をモニタし続け、入力緊急警戒信号を受信し続ける段階４０２にループの状態で戻る。しかしながら、例示としての実施形態に従って、緊急警戒機能は、所定時間の期間の間に同様の緊急イベント（即ち、反復イベント）に対して再びアクティブにされることはない。上記のように、ユーザは、段階４０１のセットアッププロセスの間の反復イベントに対してこの所定時間の期間を選択することが可能であり、種々の重大度レベルは種々のイベントを表すことが可能である。従って、処理器２６は、ユーザにより指定された所定時間の期間の間に反復緊急イベントに対する緊急警戒機能を無効にする。このように、テレビジョン信号受信器２０は、この所定時間の期間が経過した後まで、同様の緊急イベントに対して警戒出力を再び提供することはない。
【００５１】
上記のように、本発明は、緊急警戒信号を受信し、緊急イベントについて個人個人に知らせるために警戒出力を提供することができるテレビジョン信号受信器を提供する。本発明を、表示装置を伴う又は伴わない種々の装置に適用することが可能である。従って、ここで用いる表現“テレビジョン信号受信器”は、テレビジョン信号を受信し且つ処理することができる装置又はシステムであって、テレビジョンセット、表示装置を含むモニタ又はコンピュータ、並びに、セットトップボックスと、ビデオカセットレコーダ（ＶＣＲ）と、ＤＶＤ（Ｄｉｇｉｔａｌ  Ｖｅｒｓａｔｉｌｅ  Ｄｉｓｋ）プレーヤと、ビデオゲームボックスと、パーソナルビデオレコーダ（ＰＶＲ）と、表示装置を含まないコンピュータ又は他の装置とを含む装置又はシステム、をいう。
【００５２】
本発明について、好適なデザインを有するように説明したが、本発明は、本開示の範囲及び主旨から逸脱することなく更に改善されることができる。本出願は、それ故、本発明の一般原理を用いて、本発明のいずれの変形、使用又は適応を網羅することを意図するものである。更に、本出願は、同時提出の特許請求の範囲の範囲内にあり且つ本発明に関する技術分野における周知の又は伝統的な方法の範囲内にあるような本発明からの逸脱を網羅することを意図されるものである。
【図面の簡単な説明】
【００５３】
【図１】本発明を実行するために適切な例示としての実施形態を示す図である。
【図２】本発明の例示としての実施形態に従ったテレビジョン信号処理システムのブロック図である。
【図３】本発明の他の例示としての実施形態に従ったテレビジョン信号処理システムのブロック図である。
【図４】本発明に従った例示としての段階を示すフロー図である。
【図５】本発明に従ったビジュアル警戒出力を提供するための例示としての技術を示す図である。
【図６】図５の緊急イベントインジケータの更なる例示としての詳細を示す図である。
【図１】
2005530380.tif 000003
【図２】
2005530380.tif 000004
【図３】
2005530380.tif 000005
【図４】
2005530380.tif 000006
【図５】
2005530380.tif 000007
【図６】
2005530380.tif 000008
【手続補正書】
【提出日】平成16年6月22日(2004.6.22)
【手続補正１】
【補正対象書類名】特許請求の範囲
【補正対象項目名】請求項１
【補正方法】変更
【補正の内容】
【請求項１】
テレビジョン信号処理装置がオンモードにある間に、音声信号及び映像信号の少なくとも１つにチューニングするように動作する第１チューナ；
テレビジョン信号処理装置がオフ／スタンバイモードにある間に、緊急イベントを表す信号にチューニングするように動作する第２チューナ；；及び
ユーザにより選択可能な地理的地域に対応する緊急イベントに応じて警戒出力を有効にするように動作する処理器；
から構成されることを特徴とするテレビジョン信号処理システム。
【手続補正２】
【補正対象書類名】特許請求の範囲
【補正対象項目名】請求項８
【補正方法】変更
【補正の内容】
【請求項８】
テレビジョン信号処理器が第１モードにある間に、音声信号及び映像信号の少なくとも１つをチューニングするための第１チューニング手段；及び
テレビジョン信号処理器が第１モード及び第２モードにある間に、緊急イベントを表す信号にチューニングするための第２チューニング手段；
から構成されることを特徴とするテレビジョン信号処理器。
【手続補正３】
【補正対象書類名】特許請求の範囲
【補正対象項目名】請求項１５
【補正方法】変更
【補正の内容】
【請求項１５】
テレビジョン信号処理システムを制御するための方法であって：
テレビジョン信号処理システムがオンモードにある間に、音声信号及び映像信号の少なくとも１つをチューニングするために第１チューナを用いる段階；及び
テレビジョン信号処理器がオンモード及びオフ／スタンバイモードにある間に、緊急イベントを表す信号にチューニングするための第２チューナを用いる段階；
から構成されることを特徴とする方法。
【国際調査報告】
2005530380.tif 000009